(57)【要約】【課題】グローバル着信するターミナルアダプタに複数の通信回線を接続可能な通信端末装置において、着信した１つの回線以外の他の回線に接続されたファックスモデムはその状態を検出した後、使用可能な状態に戻すことができる。【解決手段】ファクシミリ装置２０の主制御部１は、２つの通信回線ＬＬ１，ＬＬ２で着信呼び出し信号を検出した後、２つの通信回線ＬＬ１，ＬＬ２のうちの予め決められた優先回線ＬＬｍが着信するまで、他の通信回線ＬＬｎ（≠ＬＬｍ）の着信処理を遅延させるように制御する。【選択図】図３
2005191671.tif 000002
【特許請求の範囲】
【請求項１】
グローバル着信するターミナルアダプタに複数の通信回線を接続可能な通信端末装置において、複数の通信回線で着信呼び出し信号を検出した後、上記複数の通信回線のうちの予め決められた優先回線が着信するまで、他の通信回線の着信処理を遅延させるように制御する制御手段を備えたことを特徴とする通信端末装置。
【請求項２】
上記ターミナルアダプタは、加入者線終端装置（ＤＳＵ）を介してＩＳＤＮ回線に接続されたことを特徴とする請求項１記載の通信端末装置。
【請求項３】
上記通信端末装置はファクシミリ装置であることを特徴とする請求項１又は２記載の通信端末装置。
【発明の詳細な説明】
【技術分野】
【０００１】
本発明は、グローバル着信するターミナルアダプタに複数の通信回線を接続可能な、例えばファクシミリ装置などの通信端末装置に関する。
【背景技術】
【０００２】
従来より、２つの公衆電話回線（ＰＳＴＮ）を接続可能なファクシミリ装置が実用化されている。例えば、特許文献１においては、複数回線を収容するファクシミリ装置において、緊急性のある情報や重要度の高い情報を優先的に受信できるように構成したファクシミリ装置が提案されている。
【０００３】
【特許文献１】特開平５−３０２５４号公報。
【発明の開示】
【発明が解決しようとする課題】
【０００４】
上述のファクシミリ装置の２つの公衆電話回線接続用端子（モジュラー・ジャック）に、グローバル着信する設定を有するターミナルアダプタ及びＤＳＵ（加入者線終端装置：Digital Service Unit）を介して、基礎インターフェースのＩＳＤＮ回線（２Ｂ＋Ｄチャンネル）を接続した場合に、１つの着信呼があったときに、グローバル着信により、２つの回線ともに着信してしまい、一方の回線に接続されたファックスモデムを用いてファクシミリ通信を行うことができるが、他方の回線に接続されたファックスモデムは通信エラーとなり、いわゆるＴ１タイマー（ＩＴＵ−Ｔ勧告のＴ．３０の通信手順において、発呼端末装置でＣＮＧ信号の送出後ＧＩ信号を検出しない時間が時間Ｔ１（例えば、３０秒ないし４０秒の範囲で設定される。）が計時している間は話中状態が続き、当該他方の回線は使用できない状態が続くという問題点があった。
【０００５】
本発明の目的は以上の問題点を解決し、グローバル着信するターミナルアダプタに複数の通信回線を接続可能な通信端末装置において、着信した１つの回線以外の他の回線に接続されたファックスモデムはその状態を検出した後、使用可能な状態に戻すことができる、ファクシミリ装置などの通信端末装置を提供することにある。
【課題を解決するための手段】
【０００６】
本発明に係る通信端末装置は、グローバル着信するターミナルアダプタに複数の通信回線を接続可能な通信端末装置において、複数の通信回線で着信呼び出し信号を検出した後、上記複数の通信回線のうちの予め決められた優先回線が着信するまで、他の通信回線の着信処理を遅延させるように制御する制御手段を備えたことを特徴とする。
【０００７】
上記通信端末装置において、上記ターミナルアダプタは、加入者線終端装置（ＤＳＵ）を介してＩＳＤＮ回線に接続されたことを特徴とする。
【０００８】
また、上記通信端末装置において、上記通信端末装置はファクシミリ装置であることを特徴とする。
【発明の効果】
【０００９】
従って、本発明に係る通信端末装置によれば、複数の通信回線で着信呼び出し信号を検出した後、上記複数の通信回線のうちの予め決められた優先回線が着信するまで、他の通信回線の着信処理を遅延させるように制御する。これにより、他の通信回線が無駄に通信回線を捕捉している状態を防止できる。
【発明を実施するための最良の形態】
【００１０】
以下、図面を参照して本発明に係る実施形態について説明する。
【００１１】
＜実施形態＞
図１は、本発明に係る実施形態である、２回線接続機能を有するファクシミリ装置２０並びに、その周辺装置であるＤＳＵ３０及びターミナルアダプタ４０の構成を示すブロック図である。
【００１２】
図１において、ＤＳＵ３０の外線接続端子には、例えばＮＴＴなどの電気通信事業者の市内交換機が接続されたＩＳＤＮ回線Ｌ（メタルのペアケーブル）が接続される一方、ＤＳＵ３０のバス配線側端子には、Ｓ／Ｔ点３５を介して、グローバル着信の設定を有するターミナルアダプタ４０のバス配線側端子が接続されている。また、ターミナルアダプタ４０の２つのアナログ回線接続端子４１ａ，４１ｂはそれぞれ、２つの通信回線ＬＬ１，ＬＬ２を介して、ファクシミリ装置２０の外線接続端子１５ａ，１５ｂに接続されている。ここで、外線接続端子１５ａは、ＮＣＵ（ネットワーク制御回路：Network Control Unit）１１ｂを介してファックスモデム１０ａに接続され、外線接続端子１５ｂは、ＮＣＵ１１ｂを介してファックスモデム１０ｂに接続されている。ここで、ＤＳＵ３０は、デジタル回線ＩＳＤＮ回線Ｌとターミナルアダプタ４０との間に挿入されるインターフェース装置であって、ＩＳＤＮ回線Ｌとの同期や速度変換などを行う装置である。また、ターミナルアダプタ４０は、ＤＳＵ３０に、従来のアナログ公衆電話回線（ＰＳＴＮ）で利用してきた電話機やファクシミリ装置、モデム、パソコンなどを接続するために、信号変換などを行うインターフェース装置であって、本実施形態では、ターミナルアダプタ４０にファクシミリ装置２０が接続されている。
【００１３】
以上のように接続されたファクシミリ装置２０の主制御部１は、２つの通信回線ＬＬ１，ＬＬ２で着信呼び出し信号を検出した後、２つの通信回線ＬＬ１，ＬＬ２のうちの予め決められた優先回線ＬＬｍが着信するまで、他の通信回線ＬＬｎ（≠ＬＬｍ）の着信処理を遅延させるように制御することを特徴としている。このことは、図３の通信回線着信処理において、ステップＳ１３でＮＯでかつステップＳ１４でＮＯでのみ、ステップＳ１５乃至Ｓ２１に進むので、優先回線ＬＬｍが着信呼び出し信号を検出中であって未だ着信処理に移行していないときは、他の通信回線ＬＬｎ（≠ＬＬｍ）の着信は遅延されることになる。
【００１４】
図１において、ファクシミリ装置２０は、従来のＧ３方式等のファクシミリ通信機能を備えるとともに、２回線接続機能を有している。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１５】
操作部５は、当該ファクシミリ装置２０を操作するために必要なキーを備え、具体的には、テンキー、ワンタッチキー及び各種のファンクションキー等を備える。ここで、テンキーは、”０”から”９”までの１桁の数字キーと、＊キー（アスタリスクキー）と、＃キー（シャープキー）とからなる。なお、上述の表示部４の少なくとも一部をタッチパネル方式とすることにより、この操作部５の各種キーの内の一部又は全部を代用するように構成してもよい。
【００１６】
ＲＯＭ６は、当該ファクシミリ装置２０の動作に必要であって主制御部１によって実行される種々のソフトウェアのプログラムを予め格納し、ここで、当該プログラムは、少なくとも図２の着信制御処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１７】
各ファックスモデム１０ａ，１０ｂはそれぞれ、通常のファクシミリ通信用のファックスモデムの機能を有するモデムであり、ＦＳＫ信号として受信される発信電話番号情報のデータを復調して主制御部１に出力する。各ＮＣＵ１１ａ，１１ｂはそれぞれ、ターミナルアダプタ４０及びＤＳＵ３０を介してＩＳＤＮ回線Ｌに接続され、ターミナルアダプタ４０のアナログ接続端子４１ａ，４１ｂのターミナルアダプタ装置側以降が擬似的なアナログの公衆電話回線となる各通信回線に関して、直流ループなどの閉結及び開放の動作を行いかつ自動ダイヤル機能を有するハードウェア回路であり、必要に応じてファックスモデム１０ａ，１０ｂをそれぞれターミナルアダプタ４０のアナログ接続端子４１ａ，４１ｂに接続する。ここで、ＮＣＵ１１ａ，１１ｂは、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。
【００１８】
以上のように構成された本実施形態のファクシミリ装置２０は、通常のＧ３方式等のファクシミリ通信機能に加えて、２回線接続機能とを有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１９】
図２は図１の主制御部１によって実行される優先回線の設定処理を示すフローチャートである。図２において、まず、ステップＳ１において複数Ｎ本の通信回線ＬＬ１乃至ＬＬＮのうち、いずれの通信回線ＬＬｍを優先回線に設定するかを入力し、ステップＳ２において、入力された優先回線の通信回線ＬＬｍを優先回線としてＲＡＭ７に格納し、当該優先回線の設定処理を終了する。
【００２０】
図３は図１の主制御部１によって実行される通信回線着信処理を示すフローチャートである。
【００２１】
図３において、まず、ステップＳ１１通信回線ＬＬｎの着信呼び出し信号を検出したか否かが判断され、ＹＥＳのときはステップＳ１２に進む一方、ＮＯのときはステップＳ１１に戻る。次いで、ステップＳ１２において、通信回線ＬＬｎの着信呼び出し信号を検出した着信検出開始時刻ＴｎをＲＡＭ７に格納し、ステップＳ１３において、優先回線ＬＬｍの着信検出開始時刻Ｔｍは通信回線ＬＬｎの着信検出開始時刻Ｔｎに一致するか否かが判断され、ＹＥＳのときはステップＳ３１に進む一方、ＮＯのときはステップＳ１４に進む。そして、ステップＳ１４において、優先回線ＬＬｍの着信呼び出し信号を検出中であるか否かが判断され、ＹＥＳのときはステップＳ３１に進む一方、ＮＯのときはステップＳ１５に進む。ステップＳ３１では、例えば１秒ないし２秒などの所定時間だけ待機した後、ステップＳ１３に戻る。従って、ステップＳ１３でＮＯでかつステップＳ１４でＮＯでのみステップＳ１５乃至Ｓ２１に進むので、優先回線ＬＬｍが着信呼び出し信号を検出中であって未だ着信処理に移行していないときは、他の通信回線ＬＬｎ（≠ＬＬｍ）の着信は遅延されることになる。
【００２２】
次いで、ステップＳ１５において、通信回線ＬＬｎの着信呼び出し信号を検出中であるか否かが判断され、ＹＥＳのときはステップＳ１６に進む一方、ＮＯのときはステップＳ１１に戻る。さらに、ステップＳ１６で着信呼び出し音の回数Ｃｎを０にリセットし、ステップＳ１７において、通信回線ＬＬｎの着信呼び出し音を１回鳴動させ、ステップＳ１８において通信回線ＬＬｎの着信呼び出し音の回数Ｃｎを１だけインクリメントした後、ステップＳ１９に進む。ステップＳ１９では、回数Ｃｎが所定のしきい値回数（例えば、４回ないし８回）以上であるか否かが判断され、ＹＥＳのときはステップＳ２０に進む一方、ＮＯのときはステップＳ１７に戻る。そして、ステップＳ２０において、通信回線ＬＬｎの着信検出開始時刻Ｔｎをクリアし、ステップＳ２１において、通信回線ＬＬｎの着信処理を実行し、ステップＳ２２において、通信回線ＬＬｎを回線開放した後、ステップＳ１１に戻る。
【００２３】
以上説明したように本実施形態によれば、ファクシミリ装置２０の主制御部１は、２つの通信回線ＬＬ１，ＬＬ２で着信呼び出し信号を検出した後、２つの通信回線ＬＬ１，ＬＬ２のうちの予め決められた優先回線ＬＬｍが着信するまで、他の通信回線ＬＬｎ（≠ＬＬｍ）の着信処理を遅延させるように制御する。従って、１つの着信呼があったときに、グローバル着信により複数の通信回線ともに着信し、１つの通信回線を用いて通信を行うことができる一方、他の通信回線は上述の制御により、他の通信回線の着信処理を遅延させるように制御する。これにより、他の通信回線が無駄に通信回線を捕捉している状態を防止できる。
【００２４】
＜変形例＞
以上の実施形態においては、ファクシミリ装置２０の例について述べているが、本発明はこれに限らず、公衆電話網又は公衆デジタル通信回線網などの公衆網に接続された、例えば電話機、データ通信装置などを含む通信端末装置に適用することができる。すなわち、例えば、ファックスモデム１０ａ，１０ｂは、例えばパーソナルコンピュータに内蔵するものであってもよい。
【００２５】
以上の実施形態においては、ＤＳＵ３０と、ターミナルアダプタ４０とを別々の装置で構成しているが、例えば、ＤＳＵ付きターミナルアダプタで構成してもよい。
【００２６】
以上の実施形態においては、ターミナルアダプタ４０と、ファクシミリ装置２０との間は２つの通信回線で接続しているが、本発明はこれに限らず、３本以上の複数の通信回線で接続してもよい。この場合、ターミナルアダプタ４０は３個以上のアナログ回線接続端子を有し、ファクシミリ装置２０は３個以上の外線接続端子を有する。そして、主制御部１は、複数の通信回線で着信があったときに、１つの通信回線で着信するが、他の通信回線で着信しないように制御する。
【図面の簡単な説明】
【００２７】
【図１】本発明に係る実施形態である、２回線接続機能を有するファクシミリ装置２０並びに、その周辺装置であるＤＳＵ３０及びターミナルアダプタ４０の構成を示すブロック図である。
【図２】図１の主制御部１によって実行される優先回線の設定処理を示すフローチャートである。
【図３】図１の主制御部１によって実行される通信回線着信処理を示すフローチャートである。
【符号の説明】
【００２８】
１…主制御部、
２…画像読取部、
３…画像記録部、
４…表示部、
５…操作部、
６…ＲＯＭ、
７…ＲＡＭ、
８…画像メモリ、
１０ａ，１０ｂ…ファックスモデム、
１１ａ，１１ｂ…ＮＣＵ、
１３…バス、
１５ａ，１５ｂ…外線接続端子１５ａ，１５ｂ、
２０…ファクシミリ装置、
３０…ＤＳＵ、
３５…Ｓ／Ｔ点、
４０…ターミナルアダプタ、
４１ａ，４１ｂ…アナログ回線接続端子、
Ｌ…ＩＳＤＮ回線、
ＬＬ１，ＬＬ２…通信回線。
【図１】
2005191671.tif 000003
【図２】
2005191671.tif 000004
【図３】
2005191671.tif 000005